(57)【要約】【課題】契約先の鍵等の保管場所の確保および管理の負担を軽減し、かつシリンダ錠のメンテナンス作業を不要にすること。【解決手段】出入口扉１の開口部に挿入した状態で保持されることによって出入口扉１を施錠状態にし、出入口扉１の開口部に対して移動可能な状態にされることによって出入口扉１を解錠可能状態にするデッドロッキングラッチボルト１０と、非通電時に開口部に挿入されたデッドロッキングラッチボルト１０に嵌合してデッドロッキングラッチボルト１０を移動不能にする位置に設けられた鉄心２２を有し、通電により鉄心２２のデッドロッキングラッチボルト１０との嵌合状態を解除するソレノイド２０と、利用者ＩＤの入力を受け付ける操作部９１と、ソレノイド２０に対する通電を制御し、利用者ＩＤの利用者認証が成功した場合、ソレノイド２０を通電する制御部８０と、を備えた。【選択図】        図１
2007309057.tif 000002
【特許請求の範囲】
【請求項１】
出入口扉に設置され、利用者の操作に応じて前記出入口扉を解錠不可能な状態である施錠状態、または解錠可能な状態である解錠可能状態にする錠前装置において、
前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、
非通電時に前記開口部に挿入された前記施解錠部に嵌合して前記施解錠部を移動不能にする位置に設けられた鉄心を有し、通電により前記鉄心の前記施解錠部との嵌合状態を解除する電磁作動部と、
前記出入口扉付近に設けられ、利用者に固有の利用者識別情報の入力を受け付ける操作部と、
前記電磁作動部に対する通電を制御し、前記操作部によって受け付けた前記利用者識別情報が、予め定められた前記利用者識別情報か否かを照合することにより利用者認証を行い、前記利用者認証が成功した場合、前記電磁作動部を通電する制御部と、
を備えたことを特徴とする錠前装置。
【請求項２】
前記制御部に対して独立して電力供給が可能な外部給電部を、さらに備え、
前記制御部は、前記利用者認証が成功した場合、前記外部給電部からの電力供給によって、前記電磁作動部を通電すること、
を特徴とする請求項１に記載の錠前装置。
【請求項３】
出入口扉が設置された監視領域における異常事態の発生の有無を監視する警備装置と接続されるとともに、前記出入口扉に設置され、利用者の操作に応じて前記出入口扉を解錠不可能な状態である施錠状態、または解錠可能な状態である解錠可能状態にする錠前装置において、
前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、
非通電時に前記開口部に挿入された前記施解錠部に嵌合して前記施解錠部を移動不能にする位置に設けられた鉄心を有し、通電により前記鉄心の前記施解錠部との嵌合状態を解除する電磁作動部と、
前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受け付ける警備モード操作部と、
前記警備モード操作部の内部に設けられ、前記電磁作動部に対する通電を制御し、前記警備モード操作部により前記警備解除状態の設定を受け付けた場合、前記電磁作動部を通電し、前記警備モード操作部により前記警備状態の設定を受け付けた場合、前記電磁作動部を非通電にする制御部と、
を備えたことを特徴とする錠前装置。
【請求項４】
前記警備モード操作部における前記制御部に対して独立して電力供給が可能な外部給電部を、さらに備え、
前記制御部は、前記利用者認証が成功し、前記警備モード操作部により前記警備解除状態の設定を受け付けた場合、前記外部給電部からの電力供給によって、前記電磁作動部を通電すること、
を特徴とする請求項３に記載の錠前装置。
【請求項５】
利用者により操作されることによって回動する施解錠操作部と、
前記施解錠操作部と接続された第１の歯車受けと、
前記第１の歯車受けと噛み合い、前記第１の歯車受けの移動に連動して回転する歯車と、
前記鉄心を前記施解錠部と嵌合する方向に付勢する弾性部材と、
前記鉄心に前記歯車に噛み合う状態で固定され、前記歯車の回転に連動して、前記弾性部材による付勢力に対抗して前記鉄心を前記施解錠部との嵌合状態を解除する方向に移動する第２の歯車受けと、をさらに備えたこと、
を特徴とする請求項１〜４のいずれか一つに記載の錠前装置。
【請求項６】
前記施解錠部は、前記出入口扉の本締まり施錠と、前記出入口扉の空締まり施錠が可能なデッドロッキングラッチボルトを含むこと、
を特徴とする請求項１〜５のいずれか一つに記載の錠前装置。
【請求項７】
前記施解錠操作部は、利用者により操作されたシリンダまたはサムターンに連動して回動するカムを含むこと、
を特徴とする請求項１〜６のいずれか一つに記載の錠前装置。
【請求項８】
前記歯車は、ピニオンを含み、
前記第１の歯車受けおよび前記第２の歯車受けは、ラックを含むこと、
を特徴とする請求項１〜７のいずれか一つに記載の錠前装置。
【請求項９】
利用者の操作に応じて前記出入口扉を解錠不可能な状態である施錠状態、または解錠可能な状態である解錠可能状態にする錠前装置で実行される施解錠方法において、
前記出入口扉付近に設けられた操作部によって、利用者に固有の利用者識別情報の入力を受け付ける操作工程と、
前記出入口扉の開口部に挿入した状態で保持されることによって前記出入口扉を前記施錠状態にし、前記開口部に対して移動可能な状態にされることによって前記出入口扉を前記解錠可能状態にする施解錠部に嵌合して、非通電時に前記開口部に挿入された前記施解錠部を移動不能にする位置に設けられた鉄心を有する電磁作動部に対する通電を制御する工程であって、前記操作工程によって受け付けた前記利用者識別情報が、予め定められた前記利用者識別情報か否かを照合することにより利用者認証を行い、前記利用者認証が成功した場合、前記電磁作動部を通電して前記鉄心の前記施解錠部との嵌合状態を解除する施解錠制御工程と、
を含むことを特徴とする施解錠方法。
【請求項１０】
出入口扉付近に設けられた警備モード操作部によって、監視領域を監視する警備装置によって前記監視領域の異常が検知された場合に異常検知情報を通報する警備状態、または前記警備装置によって前記監視領域の異常が検知された場合に前記異常検知情報を通報しない警備解除状態の設定を受け付ける警備モード操作工程と、
前記出入口扉の開口部に挿入した状態で保持されることによって前記出入口扉を前記施錠状態にし、前記開口部に対して移動可能な状態にされることによって前記出入口扉を前記解錠可能状態にする施解錠部に嵌合して、非通電時に前記開口部に挿入された前記施解錠部を移動不能にする位置に設けられた鉄心を有する電磁作動部に対する通電を制御する工程であって、前記警備モード操作工程により前記警備解除状態の設定を受け付けた場合、前記電磁作動部を通電し、前記利用者認証が成功し、前記警備モード操作工程により前記警備状態の設定を受け付けた場合、前記電磁作動部を非通電にする施解錠制御工程と、
を含むことを特徴とする施解錠方法。
【発明の詳細な説明】
【技術分野】
【０００１】
本発明は、出入口扉を施解錠する錠前装置および施解錠方法に関するものであり、特に、出入口扉の設置された監視領域において異常が発生した場合に、鍵を所持しない正当な利用者（警備員等）によって、出入口扉の解錠が可能な錠前装置および施解錠方法に関する。
【背景技術】
【０００２】
従来、一般的な警備システムでは、契約者から警備対象先である建造物の鍵を事前に受領し、当該建造物（監視領域）に異常が発生した場合には、事前に受領していた鍵を用いて警備員が館内に入り、監視領域における異常原因の追究、および適切な処置を行うことで警備サービスを提供している。
【０００３】
しかし、上記のような警備システムでは、警備対象先の契約者より鍵を事前に受領することにより警備サービスを提供するため、事前に受領した鍵の保管場所の確保、または管理の負担が増大するという問題があった。
【０００４】
そこで、事前に鍵を受領しなくとも、異常が発生した監視領域の出入口扉を施解錠できる錠前装置が公開されている（例えば、特許文献１参照）。この錠前装置は、シリンダ錠の外側に、シリンダの回動を電気的に規制するロック機構を持つ外部ケースを設け、外部ケースの中でシリンダ錠の部分が回転可能な構成にしている。通常はロック機構によりシリンダ錠の部分をロックしておき、通常のシリンダ錠と同様に利用し、監視領域に異常等が発生して警備員が施解錠する場合は、携帯端末から解除信号を送信してロック機構を解除し、簡易な鍵を用いてシリンダ錠ごと回転させて施解錠する。
【０００５】
【特許文献１】特開２００４−２１１４０５号公報
【発明の開示】
【発明が解決しようとする課題】
【０００６】
しかしながら、特許文献１の錠前装置では、契約先の鍵は不要となるが、別途簡易な鍵が必要となる。また、鍵穴とは、Ｖ字型の形状や内部に凹凸を有する形状など様々な種類の形状のものがあるため、全てのシリンダ錠の鍵穴に対応し得る一つの簡易な鍵の共通化を図ることは難しく、結果として複数の簡易な鍵を用意し管理しなければならなかった。さらに、特許文献１の錠前装置では、新しいシリンダ錠に交換するたびに電気錠を取り付ける加工を行ったり、新しいシリンダ錠の鍵穴の形状に対応する簡易な鍵の作成を必要とする場合があり、シリンダ錠の交換の際の作業に手間が掛かっていた。
【０００７】
本発明は、上記に鑑みてなされたものであって、事前の出入口扉の鍵の受領をしなくても操作部を操作することのみで出入口扉の施解錠を行うことができ、契約先の鍵等の保管場所の確保および管理の負担を軽減し、かつシリンダ錠のメンテナンス作業が不要な錠前装置および施解錠方法を得ることを目的とする。
【課題を解決するための手段】
【０００８】
上述した課題を解決し、目的を達成するために、本発明は、出入口扉に設置され、利用者の操作に応じて前記出入口扉を解錠不可能な状態である施錠状態、または解錠可能な状態である解錠可能状態にする錠前装置において、前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、非通電時に前記開口部に挿入された前記施解錠部に嵌合して前記施解錠部を移動不能にする位置に設けられた鉄心を有し、通電により前記鉄心の前記施解錠部との嵌合状態を解除する電磁作動部と、前記出入口扉付近に設けられ、利用者に固有の利用者識別情報の入力を受け付ける操作部と、前記電磁作動部に対する通電を制御し、前記操作部によって受け付けた前記利用者識別情報が、予め定められた前記利用者識別情報か否かを照合することにより利用者認証を行い、前記利用者認証が成功した場合、前記電磁作動部を通電する制御部と、を備えたことを特徴とする錠前装置である。
【０００９】
また、本発明は、前記制御部に対して独立して電力供給が可能な外部給電部を、さらに備え、前記制御部は、前記利用者認証が成功した場合、前記外部給電部からの電力供給によって、前記電磁作動部を通電すること、を特徴とする錠前装置である。
【００１０】
また、本発明は、出入口扉が設置された監視領域における異常事態の発生の有無を監視する警備装置と接続されるとともに、前記出入口扉に設置され、利用者の操作に応じて前記出入口扉を解錠不可能な状態である施錠状態、または解錠可能な状態である解錠可能状態にする錠前装置において、前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、非通電時に前記開口部に挿入された前記施解錠部に嵌合して前記施解錠部を移動不能にする位置に設けられた鉄心を有し、通電により前記鉄心の前記施解錠部との嵌合状態を解除する電磁作動部と、前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受け付ける警備モード操作部と、前記警備モード操作部の内部に設けられ、前記電磁作動部に対する通電を制御し、前記警備モード操作部により前記警備解除状態の設定を受け付けた場合、前記電磁作動部を通電し、前記警備モード操作部により前記警備状態の設定を受け付けた場合、前記電磁作動部を非通電にする制御部と、を備えたことを特徴とする錠前装置である。
【００１１】
また、本発明は、前記警備モード操作部における前記制御部に対して独立して電力供給が可能な外部給電部を、さらに備え、前記制御部は、前記利用者認証が成功し、前記警備モード操作部により前記警備解除状態の設定を受け付けた場合、前記外部給電部からの電力供給によって、前記電磁作動部を通電すること、を特徴とする錠前装置である。
【００１２】
また、本発明は、利用者により操作されることによって回動する施解錠操作部と、前記施解錠操作部と接続された第１の歯車受けと、前記第１の歯車受けと噛み合い、前記第１の歯車受けの移動に連動して回転する歯車と、前記鉄心を前記施解錠部と嵌合する方向に付勢する弾性部材と、前記鉄心に前記歯車に噛み合う状態で固定され、前記歯車の回転に連動して、前記弾性部材による付勢力に対抗して前記鉄心を前記施解錠部との嵌合状態を解除する方向に移動する第２の歯車受けと、をさらに備えたこと、を特徴とする錠前装置である。
【００１３】
また、本発明は、前記施解錠部は、前記出入口扉の本締まり施錠と、前記出入口扉の空締まり施錠が可能なデッドロッキングラッチボルトを含むこと、を特徴とする錠前装置である。
【００１４】
また、本発明は、前記施解錠操作部は、利用者により操作されたシリンダまたはサムターンに連動して回動するカムを含むこと、を特徴とする錠前装置である。
【００１５】
また、本発明は、前記歯車は、ピニオンを含み、前記第１の歯車受けおよび前記第２の歯車受けは、ラックを含むこと、を特徴とする錠前装置である。
【００１６】
また、本発明は、利用者の操作に応じて前記出入口扉を解錠不可能な状態である施錠状態、または解錠可能な状態である解錠可能状態にする錠前装置で実行される施解錠方法において、前記出入口扉付近に設けられた操作部によって、利用者に固有の利用者識別情報の入力を受け付ける操作工程と、前記出入口扉の開口部に挿入した状態で保持されることによって前記出入口扉を前記施錠状態にし、前記開口部に対して移動可能な状態にされることによって前記出入口扉を前記解錠可能状態にする施解錠部に嵌合して、非通電時に前記開口部に挿入された前記施解錠部を移動不能にする位置に設けられた鉄心を有する電磁作動部に対する通電を制御する工程であって、前記操作工程によって受け付けた前記利用者識別情報が、予め定められた前記利用者識別情報か否かを照合することにより利用者認証を行い、前記利用者認証が成功した場合、前記電磁作動部を通電して前記鉄心の前記施解錠部との嵌合状態を解除する施解錠制御工程と、を含むことを特徴とする施解錠方法である。
【００１７】
また、本発明は、出入口扉付近に設けられた警備モード操作部によって、監視領域を監視する警備装置によって前記監視領域の異常が検知された場合に異常検知情報を通報する警備状態、または前記警備装置によって前記監視領域の異常が検知された場合に前記異常検知情報を通報しない警備解除状態の設定を受け付ける警備モード操作工程と、前記出入口扉の開口部に挿入した状態で保持されることによって前記出入口扉を前記施錠状態にし、前記開口部に対して移動可能な状態にされることによって前記出入口扉を前記解錠可能状態にする施解錠部に嵌合して、非通電時に前記開口部に挿入された前記施解錠部を移動不能にする位置に設けられた鉄心を有する電磁作動部に対する通電を制御する工程であって、前記警備モード操作工程により前記警備解除状態の設定を受け付けた場合、前記電磁作動部を通電し、前記利用者認証が成功し、前記警備モード操作工程により前記警備状態の設定を受け付けた場合、前記電磁作動部を非通電にする施解錠制御工程と、を含むことを特徴とする施解錠方法である。
【発明の効果】
【００１８】
本発明によれば、施解錠部が、出入口扉の開口部に挿入した状態で保持されることによって出入口扉を施錠状態にし、出入口扉の開口部に対して移動可能な状態にされることによって出入口扉を解錠可能状態にし、電磁作動部が、非通電時に開口部に挿入された施解錠部に嵌合して施解錠部を移動不能にする位置に設けられた鉄心を有し、通電により鉄心の施解錠部との嵌合状態を解除し、出入口扉付近に設けられた操作部が、利用者に固有の利用者識別情報の入力を受け付け、制御部が、電磁作動部に対する通電を制御し、受け付けた利用者識別情報の利用者認証を行い、利用者認証が成功した場合、電磁作動部を通電する。従って、利用者は、事前に出入口扉を解錠する鍵等を受領しなくても、操作部を操作することのみで出入口の施解錠を行うことができ、出入口扉の鍵等の保管場所の確保および管理の負担を軽減し、かつ出入口扉の鍵等を挿入するシリンダ錠の加工等のメンテナンス作業が不要となるという効果を奏する。
【００１９】
また、本発明によれば、外部給電部によって、制御部に対して独立して電力供給が可能となり、制御部が、利用者認証が成功した場合、外部給電部からの電力供給によって、電磁作動部を通電する。従って、例えば、停電時などであっても、制御部に電力を供給することができ、出入口扉の施解錠を行うことができるという効果を奏する。
【００２０】
また、本発明によれば、施解錠部が、出入口扉の開口部に挿入した状態で保持されることによって出入口扉を施錠状態にし、出入口扉の開口部に対して移動可能な状態にされることによって出入口扉を解錠可能状態にし、電磁作動部が、非通電時に開口部に挿入された施解錠部に嵌合して施解錠部を移動不能にする位置に設けられた鉄心を有し、通電により鉄心の施解錠部との嵌合状態を解除し、出入口扉付近に設けられた警備モード操作部が、警備装置によって監視領域の異常が検知された場合に異常検知情報を通報する警備状態、または警備装置によって監視領域の異常が検知された場合に異常検知情報を通報しない警備解除状態の設定を受け付け、警備モード操作部の内部に設けられた制御部が、電磁作動部に対する通電を制御し、警備解除状態の設定を受け付けた場合は、電磁作動部を通電し、警備状態の設定を受け付けた場合は、電磁作動部を非通電にする。従って、利用者は、事前に出入口扉を解錠する鍵等を受領しなくても、警備装置の設定を操作部に入力する操作に連動して出入口の施解錠を行うことができ、出入口扉の鍵等の保管場所の確保および管理の負担を軽減し、かつ出入口扉の鍵等を挿入するシリンダ錠の加工等のメンテナンス作業が不要となるという効果を奏する。
【００２１】
また、本発明によれば、外部給電部によって、警備モード操作部における制御部に対して独立して電力供給が可能となり、制御部が、利用者認証が成功し、警備解除状態の設定を受け付けた場合、外部給電部からの電力供給によって、電磁作動部を通電する。従って、例えば、停電時などであっても、制御部に電力を供給することができ、警備装置の設定および出入口扉の施解錠を行うことができるという効果を奏する。
【００２２】
また、本発明によれば、施解錠操作部が、利用者により操作されることによって回動し、第１の歯車受けが施解錠操作部と接続され、歯車が、第１の歯車受けと噛み合い、第１の歯車受けの移動に連動して回転し、弾性部材が、鉄心を施解錠部と嵌合する方向に付勢し、第２の歯車受けが、鉄心に歯車に噛み合う状態で固定され、歯車の回転に連動して、弾性部材による付勢力に対抗して鉄心を施解錠部との嵌合状態を解除する方向に移動する。従って、操作部からの操作による電力を使用した施解錠だけでなく、施解錠操作部による操作によっても出入口扉の施解錠を行うことができるという効果を奏する。
【００２３】
また、本発明によれば、施解錠部は、出入口扉の本締まり施錠と、出入口扉の空締まり施錠が可能なデッドロッキングラッチボルトを含んでいる。従って、本締まり施錠と空締まり施錠を別個のボルトで行う必要がなく、錠前装置の構成を簡潔にできるという効果を奏する。
【００２４】
また、本発明によれば、施解錠操作部は、利用者により操作されたシリンダまたはサムターンに連動して回動するカムを含んでいる。従って、操作部からの操作による電力を使用した施解錠だけでなく、カムによる操作によっても出入口扉の施解錠を行うことができるという効果を奏する。
【００２５】
また、本発明によれば、歯車は、ピニオンを含み、第１の歯車受けおよび第２の歯車受けは、ラックを含んでいる。従って、操作部からの操作による電力を使用した施解錠だけでなく、施解錠操作部による操作によってピニオンおよびラックによる出入口扉の施解錠を行うことができるという効果を奏する。
【発明を実施するための最良の形態】
【００２６】
以下に添付図面を参照して、この発明にかかる錠前装置および施解錠方法の最良な実施の形態を詳細に説明する。
【００２７】
（第１の実施の形態）
本実施の形態にかかる錠前装置は、警備装置が設置されている建造物等の監視領域に異常が発生した場合に、駆けつけた警備員等がその監視領域に設置された出入口扉を解錠する鍵等を所持していなくても、出入口扉を解錠できるものである。
【００２８】
図１は、第１の実施の形態にかかる錠前装置の構成を示す説明図である。図１に示すように、本実施の形態にかかる錠前装置１００は、出入口扉１に設置された錠前機構２と、警備装置９０と、操作部９１とから主に構成されており、錠前機構２の内部は、デッドロッキングラッチボルト１０と、ソレノイド本体２１および鉄心２２を有するソレノイド２０と、カム５０と、ラック１３、ピニオン３０と、バネ４０と、レバーハンドル７０と、レバーハンドル施解錠制御板６０と、制御部８０と、外部給電部８１とを主に備えている。
【００２９】
警備装置９０は、出入口扉１が設置されている監視領域を監視（警備）するものであり、監視領域において異常が発生した場合は、通報先である監視センタへ異常を検知した旨の異常検知情報の通報をするものである。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。なお、本実施の形態では、錠前装置は警備装置と有線で接続されているが、無線通信により接続された構成としてもよい。
【００３０】
操作部９１は、出入口扉１付近の監視領域外に設置され、警備員等の利用者に固有の利用者ＩＤ（利用者識別情報）の入力を受け付けるものであり、例えばテンキーや、接触式または非接触式のカードリーダ、タッチパネル、指紋や虹彩や静脈等の生体情報読取装置等、利用者が特定されるものであればよい。
【００３１】
デッドロッキングラッチボルト１０は、先端部１２と軸部１１とによって主に構成されており、出入口扉１の本締まり施錠を行うデッドボルトの機能と、出入口扉１の空締まり施錠を行うラッチボルトの機能を兼ねており、上記両施錠が可能なボルトである。図２−１は、デッドロッキングラッチボルト１０の上面図の一例を示す図であり、図２−２は、デッドロッキングラッチボルト１０の側面図の一例を示す図である。また、図３は、デッドロッキングラッチボルト１０の斜視図の一例を示す図である。ここで、本締まり施錠とは、出入口扉１にデッドロッキングラッチボルト１０の先端が挿入され、かつデッドロッキングラッチボルト１０が移動不能で、出入口扉１に設けられたレバーハンドルやドアノブ等を操作しても出入口扉１を開けることができない状態をいう。また、空締まりとは、出入口扉１が風圧等で開かないように仮締まりを行うことであり、デッドロッキングラッチボルト１０が移動可能で、出入口扉１からデッドロッキングラッチボルト１０の先端が抜き出し可能で、出入口扉１に設けられたレバーハンドルやドアノブ等を操作すると、デッドロッキングラッチボルト１０が出入口扉１から抜き出され、出入口扉を開けることができる状態をいう。
【００３２】
図１、図２−１、図２−２、および図３に示すように、デッドロッキングラッチボルト１０の軸部１１は、略直方体形状の金属性材料で形成されている。また、軸部１１の一方の端面には、先端部１２が接続されており、この先端部１２は、施錠が行われると出入口扉１の開口部（不図示）に挿入される部分で、略三角柱形状の金属性材料で形成されている。軸部１１には、その中央付近に鉄心２２が嵌合される断面コの字形状の切欠き部１１ａと、先端部１２と反対側の端部近傍にレバーハンドル施解錠制御板６０が挿入される挿入口１１ｂとが設けられている。
【００３３】
デッドロッキングラッチボルト１０は、切欠き部１１ａと鉄心２２が嵌合すると、出入口扉１の開口部に挿入した状態で保持されることになり、出入口扉１を施錠状態、すなわち出入口扉１を本締まり施錠状態にする。また、デットロッキングラッチボルト１０は、切欠き部１１ａと鉄心２２の嵌合状態が解除されると、出入口扉１の開口部に対して移動可能な状態にされ、出入口扉１を解錠可能状態、すなわち出入口扉１を空締まり施錠状態にする。
【００３４】
また、デッドロッキングラッチボルト１０は、鉄心２２が図１におけるβ方向に移動することにより鉄心２２との嵌合状態が解除されると、出入口扉１の開口部に対して移動可能な状態にされ、出入口扉１を解錠可能状態（空締まり施錠状態）にする。さらに、デッドロッキングラッチボルト１０は、鉄心２２が図１におけるβ方向と反対方向に移動することにより鉄心２２と嵌合されると、出入口扉１の開口部に挿入した状態で保持されることになり、出入口扉１を施錠状態（本締まり施錠状態）にする。
【００３５】
ソレノイド２０は、電磁石の一種で、電磁誘導の作用によって、電気的エネルギーを機械的エネルギーに変換するものである。図４は、ソレノイド２０の正面図の一例を示す図である。図４に示すように、ソレノイド２０は、ソレノイド本体２１と、鉄心２２と、バネ２３とにより構成されている。そして、ソレノイド本体２１には、孔部２１ａが設けられており、その孔部２１ａの底面にバネ２３が設置されている。さらに、孔部２１ａには、バネ２３の孔部２１ａの底面と反対側の端部まで、鉄心２２が挿入されている。そして、バネ２３が鉄心２２をデッドロッキングラッチボルト１０と嵌合する方向、すなわち、β方向と反対方向に付勢している。
【００３６】
ここで、鉄心２２について、さらに詳細に説明する。図５−１は、鉄心２２の正面図の一例を示す図であり、図５−２は、鉄心２２の側面図の一例を示す図である。図５−１に示すように、鉄心２２は、略立方体形状の一端を斜面に切断された斜面切断部２２ａを有する形状となっており、金属性材料で形成されている。そして、図５−２に示すように、鉄心２２の斜面切断部２２ａの側面（図５−１の正面図における正面の反対面）には、ラック２４が固定されている。
【００３７】
鉄心２２は、非通電時には孔部２１ａから抜き出てデッドロッキングラッチボルト１０を移動不能にする位置に設けられている。すなわち、鉄心２２は、非通電時に孔部２１ａから抜き出た状態となり、かかる状態で、出入口扉１の開口部に挿入されたデッドロッキングラッチボルト１０の切欠き部１１ａに嵌合する位置に設けられ、これによって、デッドロッキングラッチボルト１０を移動不能にする。より具体的には、ソレノイド２０が非通電にされることにより、鉄心２２が孔部２１ａから抜き出る方向、すなわち図１におけるβ方向と反対方向に移動していき、斜面切断部２２ａがデッドロッキングラッチボルト１０の切欠き部１１ａを通って、完全に抜き出る位置まで移動することによって、鉄心２２とデッドロッキングラッチボルト１０が嵌合する。一方、この状態でソレノイド２０が通電されることにより、鉄心２２が孔部２１ａに挿入する方向、すなわち図１におけるβ方向に移動していき、斜面切断部２２ａの下端（斜面切断部２２ａとそれに続く平坦面との屈曲部分）がデッドロッキングラッチボルト１０の切欠き部１１ａの下端まで移動することによって、鉄心２２とデッドロッキングラッチボルト１０との嵌合状態を解除する。
【００３８】
制御部８０は、ソレノイド２０に対する通電を制御するものである。すなわち、制御部８０は、操作部９１によって受け付けた利用者ＩＤが、記憶部（不図示）等に予め定められた利用者ＩＤか否かを照合することによって利用者認証を行い、その利用者認証が成功した場合に、ソレノイド２０が非通電であればソレノイド２０を通電し、ソレノイド２０が通電されていればソレノイド２０を非通電にするものである。また、通常時は、監視領域等に供給される電力等を操作部９１やソレノイド２０等に供給するが、例えば、停電時等により電力が供給できない場合には、制御部８０は、外部給電部８１によって供給された電力を操作部９１に供給し、操作部９１から受け付けた利用者ＩＤの利用者認証が成功した場合、外部給電部８１によって供給された電力をソレノイド２０に供給して通電する。
【００３９】
ここで、制御部８０は、汎用の電源と接続されており、かかる汎用の電源から電力供給をうけて、ソレノイド２０に対する通電を行うようになっている。
【００４０】
外部給電部８１は、制御部８０に対して独立して電力を供給するものであり、例えば、電池等が該当する。停電時等により制御部８０に汎用の電源からの電力供給をうけられない場合には、制御部８０には外部給電部８１からの電力が供給され、これにより停電時にもソレノイド２０に対する通電および非通電の制御が可能となる。
【００４１】
カム５０は、監視領域の外部側に設けられた出入口扉１を解錠するための鍵を挿入して回動操作されるシリンダ（不図示）や、監視領域の内部側に設けられた出入口扉１を解錠するためのサムターン（不図示）が設けられており、利用者がシリンダまたはサムターンを回動操作すると、そのシリンダまたはサムターンに連動して図１におけるＲ１方向またはＲ１方向と反対方向に回動するものである。
【００４２】
ラック１３は、カム５０に接続されており、カム５０の回動に連動して図１におけるα方向、またはα方向と反対方向に移動するものである。また、ラック１３は、後述する歯車のピニオン３０に噛み合う凹凸形状に形成された面を有し、その凹凸形状の面とピニオン３０とが噛み合っている（図６参照）。
【００４３】
ピニオン３０は、外歯車３０ａと、外歯車３０ａより小径の歯車である内歯車３０ｂとの２つの歯車によって構成されている。図６は、ピニオン３０と、ラック１３および鉄心２２に固定されたラック２４とが噛み合う状態の一例を示す図である。図６に示すように、デッドロッキングラッチボルト１０の軸部１１の上面にラック１３が設けられている。そして、ラック１３の凹凸形状の上面に、ピニオン３０の内歯車３０ｂが噛み合っており、ピニオン３０の外歯車３０ａに、鉄心２２に固定されたラック２４が噛み合っている。このため、ラック１３がα方向に移動すると、ピニオン３０がＲ２方向に回転し、ピニオン３０の回転に連動してラック２４が下方に移動する。その結果、ラック２４が接続された鉄心２２がデッドロッキングラッチボルト１０との嵌合状態を解除する方向、すなわちβ方向に移動する。
【００４４】
バネ４０は、デッドロッキングラッチボルト１０に軸部１１における先端部１２と反対の端部と、錠前機構のカバーとに固定されており、デッドロッキングラッチボルト１０を出入口扉１の開口部に向けて付勢している。
【００４５】
レバーハンドル７０は、錠前装置１００が解錠可能状態にあるときに、出入口扉１を解錠するために、利用者により図１におけるＲ３方向に回動操作されるものである。
【００４６】
レバーハンドル施解錠制御板６０は、一方の端部がデッドロッキングラッチボルト１０の軸部１１に設けられた挿入口１１ｂに接続され、反対側の端部がレバーハンドル７０に接続されており、レバーハンドル７０の回動に連動して回動することによって、デッドロッキングラッチボルト１０をα方向またはα方向と反対方向に移動させるものである。
【００４７】
次に、以上のように構成された本実施の形態にかかる錠前装置１００の解錠動作について説明する。まず、利用者が出入口扉１の鍵を所持していない場合の解錠動作について、図１、図７および図８を用いて説明する。図７は、第１の実施の形態にかかる錠前装置の解錠可能状態の一例を示す図である。図８は、第１の実施の形態にかかる錠前装置の解錠状態の一例を示す図である。なお、図１は、第１の実施の形態にかかる錠前装置の施錠状態の一例を示す図となっている。
【００４８】
例えば、監視領域に異常が発生し、異常検知情報の通報を受けた監視センタは、待機中の警備員をその監視領域へ向かわせる。そして、その監視領域に設置された出入口扉１の鍵を所持していない警備員が駆けつけて、図１に示す施錠状態から監視領域に入るために解錠動作を行う場合、出入口扉１付近に設置された操作部９１に警備員の利用者ＩＤを入力する。操作部９１が利用者ＩＤを受け付けると、制御部８０は、受け付けた利用者ＩＤが、記憶部等に予め定められた利用者ＩＤか否かを照合することで利用者認証を行い、その利用者認証が成功した場合に、ソレノイド２０が非通電であればソレノイド２０を通電する。なお、ソレノイド２０が通電される前の施錠状態とは、図１に示すように、出入口扉１にデッドロッキングラッチボルト１０の先端部１２が挿入されており、このデッドロッキングラッチボルト１０の切欠き部１１ａ（図２、３参照）に鉄心２２が嵌合され、デッドロッキングラッチボルト１０が移動不能になっている状態である。
【００４９】
ソレノイド２０は、制御部８０により通電されると、図７に示すように、ソレノイド２０の鉄心２２がソレノイド本体２１の孔部２１ａ（図４参照）に挿入される方向、すなわちβ方向へ、鉄心２２の斜面切断部２２ａの下端がデッドロッキングラッチボルト１０の切欠き部１１ａの端部の位置まで移動することによって、鉄心２２とデッドロッキングラッチボルト１０の切欠き部１１ａとの嵌合状態が解除される。この状態において、デッドロッキングラッチボルト１０にα方向の動力が加えられた場合は、デッドロッキングラッチボルト１０の切欠き部１１ａの側内壁面の下端が、斜面切断部２２ａの下端をα方向に押圧することで、鉄心２２がさらにβ方向に移動するため、デッドロッキングラッチボルト１０はα方向に移動可能となっており、解錠可能状態となっている。そして、警備員等の利用者によりレバーハンドル７０がＲ３方向に回動操作されると、レバーハンドル７０に接続されているレバーハンドル施解錠制御板６０は、レバーハンドル７０の回動に連動してＲ３方向に回動する。
【００５０】
レバーハンドル施解錠制御板６０がＲ３方向に回動すると、図８に示すように、レバーハンドル施解錠制御板６０と挿入口１１ｂで接続されているデッドロッキングラッチボルト１０は、レバーハンドル施解錠制御板６０の回動に連動して、バネ４０の付勢力に対抗してα方向に移動する。すると、デッドロッキングラッチボルト１０がα方向に移動した場合は、デッドロッキングラッチボルト１０の切欠き部１１ａの側内壁面の下端が、斜面切断部２２ａの下端をα方向に押圧し、鉄心２２がさらにβ方向に移動する。そして、デッドロッキングラッチボルト１０の切欠き部１１ａの側内壁面の下端が、さらに、斜面切断部２２ａの斜面を上面に沿いながらα方向に押圧することになって、鉄心２２は切欠き部１１ａから完全に抜き出ることになる。そうすると、デッドロッキングラッチボルト１０の先端部１２は、出入口扉１の開口部から錠前機構２に挿入され解錠状態となり、出入口扉１が開放されることになる。
【００５１】
なお、出入口扉１が開放された後、警備員等の利用者がレバーハンドル７０から手を離すと、レバーハンドル７０からの動力がなくなるため、バネ４０の付勢力によりデッドロッキングラッチボルト１０がα方向と反対方向に移動する。そして、デッドロッキングラッチボルト１０の移動に連動して、レバーハンドル施解錠制御板６０がＲ３方向と反対方向に回動する。そして、レバーハンドル７０は、レバーハンドル施解錠制御板６０の回動に連動してＲ３方向と反対方向に回動し、図７に示すような解錠可能状態に戻ることになる。
【００５２】
このように、監視領域に異常が発生した場合などに、出入口扉１の鍵を所持しない警備員等の正当な利用者によっても錠前装置１００を解錠して、出入口扉１を開放することができ、鍵を所持しない警備員においても監視領域の異常の原因追及等を行うことができる。
【００５３】
なお、上記では、監視領域に異常が発生した場合に、出入口扉１の鍵を所持しない警備員等の利用者による解錠動作であるが、監視領域の住人等の利用者が不在の場合に、警備装置９０の点検にきた警備員等が出入口扉１の解錠を行う場合も、同様の解錠動作を行うことができる。
【００５４】
また、そのように警備装置９０の点検にきた警備員等が出入口扉１の施錠を行う場合について図１、図７を用いて説明する。監視領域に設置された出入口扉１の鍵を所持していない警備員が施錠動作を行う場合、出入口扉１付近に設置された操作部９１に警備員の利用者ＩＤを入力する。操作部９１が、利用者ＩＤの入力を受け付けると、制御部８０は、受け付けた利用者ＩＤが、記憶部等に予め定められた利用者ＩＤか否かを照合することで利用者認証を行い、その利用者認証が成功した場合に、ソレノイド２０が通電されていればソレノイド２０を非通電にする。
【００５５】
ソレノイド２０は、制御部８０により非通電にされると、ソレノイド２０の鉄心２２がソレノイド本体２１の孔部２１ａ（図４参照）から抜き出る方向、すなわちβ方向と反対方向へ移動し、図１に示すように、斜面切断部２２ａがデッドロッキングラッチボルト１０の切欠き部１１ａ（図２、３参照）を通って、完全に抜き出る位置まで移動することによって、鉄心２２とデッドロッキングラッチボルト１０とが嵌合して、施錠状態になる。
【００５６】
このように、監視領域の住人等の利用者が不在の場合に、警備装置９０の点検にきた警備員等の利用者によっても、錠前装置１００を施錠することができる。
【００５７】
次に、利用者が出入口扉１の鍵を所持している場合の解錠動作、及び利用者が監視領域の内部から行う解錠動作について、図１、図７および図８を用いて説明する。図１に示す施錠状態において、監視領域の外部から解錠動作を行う場合、監視領域に設置された出入口扉１の鍵を所持している利用者は、カム５０に設けられたシリンダ（不図示）に鍵を挿入してＲ１方向に回動操作する。また、監視領域の内部から解錠動作を行う場合、利用者は、カム５０に設けられたサムターン（不図示）をＲ１方向に回動操作する。
【００５８】
利用者によるシリンダまたはサムターンの回動操作が行われると、カム５０は、そのシリンダまたはサムターンの回動動作に連動してＲ１方向に回動する。そして、カム５０に接続されたラック１３がカム５０の回動に連動してα方向に移動して、ラック１３の凹凸形状の上面に噛み合っているピニオン３０の内歯車３０ｂ（図６参照）がＲ２方向に回転し、外歯車３０ａ（図６参照）を含めたピニオン３０全体がＲ２方向に回転する。
【００５９】
外歯車３０ａがＲ２方向に回転すると、図７に示すように、外歯車３０ａに噛み合っているラック２４（図５−２参照）が、外歯車３０ａの回転に連動してβ方向に移動し、ラック２４が固定されている鉄心２２がソレノイド本体２１の孔部２１ａ（図４参照）に挿入される方向、すなわちβ方向へ、鉄心２２の斜面切断部２２ａの下端がデッドロッキングラッチボルト１０の切欠き部１１ａの端部の位置まで移動することによって、鉄心２２とデッドロッキングラッチボルト１０の切欠き部１１ａとの嵌合状態が解除され、出入口扉１の鍵を所持していない警備員等の解錠動作の場合と同様に、解錠可能状態となる。そして、出入口扉１の鍵を所持していない警備員等の解錠動作の場合と同様に、利用者がレバーハンドル７０を回動操作することによって、図８に示すような解錠状態となり、出入口扉１が開放されることになる。また、出入口扉１が開放された後も、出入口扉１の鍵を所持していない場合と同様に、図７に示すような解錠可能状態に戻ることになる。
【００６０】
次に、利用者が出入口扉１の鍵を所持している場合の施錠動作、及び利用者が監視領域の内部から行う施錠動作について、図１、図７を用いて説明する。図７に示す解錠可能状態において、監視領域の外部から施錠動作を行う場合、監視領域に設置された出入口扉１の鍵を所持している利用者は、カム５０に設けられたシリンダ（不図示）に鍵を挿入してＲ１方向と反対方向に回動操作する。また、監視領域の内部から施錠動作を行う場合、利用者は、カム５０に設けられたサムターン（不図示）をＲ１方向と反対方向に回動操作する。
【００６１】
利用者によるシリンダまたはサムターンの回動操作が行われると、カム５０は、そのシリンダまたはサムターンの回動動作に連動してＲ１方向と反対方向に回動する。そして、カム５０に接続されたラック１３がカム５０の回動に連動してα方向と反対方向に移動して、ラック１３の凹凸形状の上面に噛み合っているピニオン３０の内歯車３０ｂ（図６参照）がＲ２方向と反対方向に回転し、外歯車３０ａ（図６参照）を含めたピニオン３０全体がＲ２方向と反対方向に回転する。
【００６２】
外歯車３０ａがＲ２方向と反対方向に回転すると、外歯車３０ａに噛み合っているラック２４（図５−２参照）が、外歯車３０ａの回転に連動してβ方向と反対方向に移動し、ラック２４が固定されている鉄心２２がソレノイド本体２１の孔部２１ａ（図４参照）から抜き出る方向、すなわちβ方向と反対方向へ移動し、図１に示すように、斜面切断部２２ａがデッドロッキングラッチボルト１０の切欠き部１１ａ（図２、３参照）を通って、完全に抜き出る位置まで移動することによって、鉄心２２とデッドロッキングラッチボルト１０とが嵌合して、施錠状態になる。
【００６３】
このように、出入口扉１の鍵を所持している利用者が解錠動作または施錠動作を行う場合、及び利用者が監視領域の内部から解錠動作または施錠動作を行う場合は、ソレノイド２０に電力を供給することなく錠前装置１００の解錠または施錠を行うことができる。
【００６４】
以上のように、本実施の形態にかかる錠前装置１００は、警備員等の利用者が、事前に監視領域の出入口扉１を解錠する鍵を受領しなくても、操作部９１に利用者ＩＤを入力することのみで出入口扉１の施解錠を行うことができ、出入口扉１の鍵の保管場所の確保および管理の負担を軽減し、かつ出入口扉１の鍵を挿入するシリンダやサムターン等の加工等のメンテナンス作業が不要となる。また、外部給電部８１から制御部８０に電力を供給することができるため、停電時など電力が供給できない場合であっても出入口扉１の施解錠を行うことができる。さらに、操作部９１からの利用者ＩＤの入力による電力を使用した施解錠だけでなく、シリンダやサムターンを回動操作することによって、ピニオンおよびラックによる出入口扉１の施解錠を行うことができる。さらに、デッドロッキングラッチボルト１０が、本締まり施錠と空締まり施錠を行うことができるため、両施錠を別個のボルトで行う必要がなく、錠前装置１００の構成を簡潔にできる。
【００６５】
（第２の実施の形態）
第１の実施の形態にかかる錠前装置は、操作部から受け付けた利用者ＩＤの認証が成功した場合に、ソレノイドを通電して錠前装置の施解錠を行うものであったが、本実施の形態では、操作部から受け付けた利用者ＩＤの認証が成功し、かつ警備装置の動作を決定する警備モードの設定に連動して、錠前装置の施解錠を行うものである。
【００６６】
図９は、第２の実施の形態にかかる錠前装置の構成を示す説明図である。図９に示すように、本実施の形態にかかる錠前装置２００は、警備装置９００と接続されており、出入口扉１に設置された錠前機構２０１と、警備モード操作部９１０と、外部給電部８１０とから主に構成されており、錠前機構２０１の内部は、デッドロッキングラッチボルト１０と、ソレノイド本体２１および鉄心２２を有するソレノイド２０と、カム５０と、ラック１３、ピニオン３０と、バネ４０と、レバーハンドル７０と、レバーハンドル施解錠制御板６０とを主に備えている。ここで、デッドロッキングラッチボルト１０と、ソレノイド２０と、カム５０と、ラック１３、ピニオン３０と、バネ４０と、レバーハンドル７０と、レバーハンドル施解錠制御板６０は、第１の実施の形態にかかる錠前装置と同様であるため、説明を省略する。
【００６７】
警備装置９００は、出入口扉１が設置されている監視領域を監視（警備）するものであり、警備モードが警備状態に設定されており、監視領域において異常が発生した場合は、通報先である監視センタへ異常を検知した旨の異常検知情報の通報をするものである。また、警備装置９００は、警備モードが警備解除状態に設定されており、監視領域において異常が発生した場合には、監視センタへの異常検知情報の通報は行わない。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。なお、本実施の形態では、錠前装置は警備装置と有線で接続されているが、無線通信により接続された構成としてもよい。
【００６８】
ここで、警備モードとは、監視領域に設置されている各種センサにより窓や扉の開放あるいは人の存在等を検知した際の監視センタへの通報の要否、または、監視領域内への報知の要否など、各種センサの検知動作時の警備装置９００の動作を決定するモードである。警備モードには、通報の要否や通報先、監視領域内への報知の要否などによって複数のモードが存在する。代表的な警備モードとしては、各種センサが検知動作を行った場合、例えば、監視領域の異常を監視し、監視領域内への人の入室を検出した場合に、所定の通報先である監視センタに異常検知情報を通報する警備状態と、各種センサが検知動作を行った場合に、監視センタに異常検知情報を通報しない警備解除状態が存在し、警備装置９００は、後述する警備モード操作部９１０からの受け付けた入力操作に応じて警備モードを設定される。
【００６９】
警備モード操作部９１０は、第１の実施の形態における操作部と同様、出入口扉１付近の監視領域外に設置され、警備員等の利用者に固有の利用者ＩＤの入力を受け付けるものである。さらに、警備モード操作部９１０は、警備装置９００に設定される警備モードとして、警備状態または警備解除状態の設定を受け付けるものである。また、警備モード操作部９１０には、制御部９１１が備えられている。
【００７０】
制御部９１１は、ソレノイド２０に対する通電を制御するものである。すなわち、制御部９１１は、警備モード操作部９１０によって受け付けた利用者ＩＤが、記憶部（不図示）等に予め定められた利用者ＩＤか否かを照合することによって利用者認証を行い、その利用者認証が成功し、警備モード操作部９１０により警備解除状態の設定を受け付けた場合、ソレノイド２０を通電するものである。また、利用者認証が成功し、警備モード操作部９１０により警備状態の設定を受け付けた場合、ソレノイド２０を非通電にする。また、通常時は、監視領域等に供給される電力等を警備モード操作部９１０やソレノイド２０等に供給するが、例えば、停電時等により電力が供給できない場合には、制御部９１１は、外部給電部８１０によって供給された電力を警備モード操作部９１０に供給し、警備モード操作部９１０から受け付けた利用者ＩＤの利用者認証が成功し、警備解除状態の設定を受け付けた場合、外部給電部８１０によって供給された電力をソレノイド２０に供給して通電する。
【００７１】
ここで、制御部９１１は、汎用の電源と接続されており、かかる汎用の電源から電力供給をうけて、ソレノイド２０に対する通電を行うようになっている。
【００７２】
外部給電部８１０は、警備モード操作部９１０における制御部９１１に対して独立して電力を供給できるものであり、例えば、電池等が該当する。停電時等により制御部９１１に汎用の電源からの電力供給をうけられない場合には、制御部９１１には外部給電部８１０からの電力が供給され、これにより停電時にもソレノイド２０に対する通電および非通電の制御が可能となる。
【００７３】
次に、以上のように構成された本実施の形態にかかる錠前装置２００の解錠動作について説明する。なお、図９は、第２の実施の形態にかかる錠前装置の施錠状態の一例を示す図となっている。また、錠前機構２０１内の解錠動作は、第１の実施の形態と同様であるため、図７、図８を参照する。
【００７４】
例えば、監視領域に異常が発生し、異常検知情報の通報を受けた監視センタは、待機中の警備員をその監視領域へ向かわせる。そして、その監視領域に設置された出入口扉１の鍵を所持していない警備員が駆けつけて、図９に示す施錠状態から監視領域に入るために解錠動作を行う場合、出入口扉１付近に設置された警備モード操作部９１０に警備員の利用者ＩＤを入力し、警備解除状態の設定の入力をする。警備モード操作部９１０が、利用者ＩＤと警備解除状態の設定の入力を受け付けると、制御部９１１は、受け付けた利用者ＩＤが、記憶部等に予め定められた利用者ＩＤか否かを照合することで利用者認証を行い、その利用者認証が成功した場合に、ソレノイド２０を通電する。なお、ソレノイド２０が通電される前の施錠状態とは、第１の実施の形態と同様、図９に示すように、出入口扉１にデッドロッキングラッチボルト１０の先端部１２が挿入されており、このデッドロッキングラッチボルト１０の切欠き部１１ａ（図２、３参照）に鉄心２２が嵌合され、デッドロッキングラッチボルト１０が移動不能になっている状態である。そして、ソレノイド２０が通電された後の出入口扉１の解錠動作は、第１の実施の形態と同様であるため、説明を省略する（図７、８参照）。
【００７５】
このように、監視領域に異常が発生した場合などに、出入口扉１の鍵を所持しない警備員等の正当な利用者によっても、警備解除状態の設定とともに錠前装置２００を解錠して、出入口扉１を開放することができ、鍵を所持しない警備員においても監視領域の異常の原因追及等を行うことができる。
【００７６】
なお、上記では、監視領域に異常が発生した場合に、出入口扉１の鍵を所持しない警備員等の利用者による解錠動作であるが、第１の実施の形態と同様に、監視領域の住人等の利用者が不在の場合に、警備装置９００の点検にきた警備員等が出入口扉１の解錠を行う場合も、同様の解錠動作を行うことができる。
【００７７】
また、そのように警備装置９００の点検にきた警備員等が出入口扉１の施錠を行う場合について図１、図７を用いて説明する。監視領域に設置された出入口扉１の鍵を所持していない警備員が施錠動作を行う場合、出入口扉１付近に設置された警備モード操作部９１０に警備員の利用者ＩＤを入力し、警備状態の設定の入力をする。警備モード操作部９１０が、利用者ＩＤと警備状態の設定の入力を受け付けると、制御部９１１は、受け付けた利用者ＩＤが、記憶部等に予め定められた利用者ＩＤか否かを照合することで利用者認証を行い、その利用者認証が成功した場合に、ソレノイド２０を非通電にする。
【００７８】
ソレノイド２０は、制御部９１１により非通電にされると、ソレノイド２０の鉄心２２がソレノイド本体２１の孔部２１ａから抜き出る方向、すなわちβ方向と反対方向へ移動し、図９に示すように、鉄心２２とデッドロッキングラッチボルト１０の切欠き部１１ａとが嵌合して、施錠状態になる。
【００７９】
このように、監視領域の住人等の利用者が不在の場合に、警備装置９００の点検にきた警備員等の利用者によっても、警備状態の設定とともに錠前装置２００を施錠することができる。
【００８０】
なお、利用者が出入口扉１の鍵を所持している場合の解錠動作および施錠動作を行う場合、及び利用者が監視領域の内部から行う解錠動作および施錠動作は、第１の実施の形態と同様であるため、説明を省略する。
【００８１】
以上のように、本実施の形態にかかる錠前装置２００は、警備員等の利用者が、事前に監視領域の出入口扉１を解錠する鍵を受領しなくても、警備モード操作部９１０に利用者ＩＤおよび警備モードの設定を入力することのみで、その設定に連動して出入口扉１の施解錠を行うことができ、出入口扉１の鍵の保管場所の確保および管理の負担を軽減し、かつ出入口扉１の鍵を挿入するシリンダやサムターン等の加工等のメンテナンス作業が不要となる。また、外部給電部８１０から制御部９１１に電力を供給することができるため、停電時など電力が供給できない場合であっても出入口扉１の施解錠を行うことができる。さらに、警備モード操作部９１０からの利用者ＩＤおよび警備モードの設定の入力による電力を使用した施解錠だけでなく、シリンダやサムターンを回動操作することによって、ピニオンおよびラックによる出入口扉１の施解錠を行うことができる。さらに、デッドロッキングラッチボルト１０が、本締まり施錠と空締まり施錠を行うことができるため、両施錠を別個のボルトで行う必要がなく、錠前装置２００の構成を簡潔にできる。
【００８２】
なお、第１および第２の実施の形態の錠前装置では、いずれも外部給電部を有しているが、外部給電部を有さない構成としてもよい。また、第１および第２の実施の形態の錠前装置では、通常時は、汎用の電源から電力供給を受け、停電時等では、外部給電部から電力供給を受ける構成としているが、常時外部給電部から電力供給を受ける構成としてもよい。
【００８３】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００８４】
【図１】第１の実施の形態にかかる錠前装置の構成を示す説明図である。
【図２−１】デッドロッキングラッチボルト１０の上面図の一例を示す図である。
【図２−２】デッドロッキングラッチボルト１０の側面図の一例を示す図である。
【図３】デッドロッキングラッチボルト１０の斜視図の一例を示す図である。
【図４】ソレノイド２０の正面図の一例を示す図である。
【図５−１】鉄心２２の正面図の一例を示す図である。
【図５−２】鉄心２２の側面図の一例を示す図である。
【図６】ピニオン３０と、ラック１３および鉄心２２に固定されたラック２４とが噛み合う状態の一例を示す図である。
【図７】第１の実施の形態にかかる錠前装置の解錠可能状態の一例を示す図である。
【図８】第１の実施の形態にかかる錠前装置の解錠状態の一例を示す図である。
【図９】第２の実施の形態にかかる錠前装置の構成を示す説明図である。
【符号の説明】
【００８５】
１００、２００  錠前装置
１  出入口扉
２、２０１  錠前機構
１０  デッドロッキングラッチボルト
１１  軸部
１１ａ  切欠き部
１１ｂ  挿入口
１２  先端部
１３  ラック
２０  ソレノイド
２１  ソレノイド本体
２１ａ  孔部
２２  鉄心
２２ａ  斜面切断部
２３  バネ
２４  ラック
３０  ピニオン
３０ａ  外歯車
３０ｂ  内歯車
４０  バネ
５０  カム
６０  レバーハンドル施解錠制御板
７０  レバーハンドル
８０、９１１  制御部
８１、８１０  外部給電部
９０、９００  警備装置
９１  操作部
９１０  警備モード操作部
【図１】
2007309057.tif 000003
【図２−１】
2007309057.tif 000004
【図２−２】
2007309057.tif 000005
【図３】
2007309057.tif 000006
【図４】
2007309057.tif 000007
【図５−１】
2007309057.tif 000008
【図５−２】
2007309057.tif 000009
【図６】
2007309057.tif 000010
【図７】
2007309057.tif 000011
【図８】
2007309057.tif 000012
【図９】
2007309057.tif 000013